(57)【要約】【課題】デッドポイントによりモータが停止してしまう問題を改善し、不要な振動及び騒音が発生することを防ぐ、ケイ素銅片のシュー部構造を提供する。【解決手段】ケイ素銅片のシュー部構造は、１つの継鉄部２０、１組のシュー部４０、１つの第１の凹曲面４２及び１つの第２の凹曲面４４を備える。シュー部４０は、継鉄部２０に接続されるとともに、円周に沿って配列される。第１の凹曲面４２及び第２の凹曲面４４は、シュー部４０の同一辺に形成され、第１の凹曲面４２と第２の凹曲面４４とが交差する箇所には、交点４６が設けられる。第１の凹曲面４２は、第１の曲線に沿ってシュー部４０の側辺に形成される。第２の凹曲面４４は、第２の曲線に沿ってシュー部４０の同一辺に形成される。第１の曲線及び第２の曲線は非同心円である。【選択図】図１
0003226116.tif 000002
【実用新案登録請求の範囲】
【請求項１】
１つの継鉄部、１組のシュー部、１つの第１の凹曲面及び１つの第２の凹曲面を備えたケイ素銅片のシュー部構造であって、
前記シュー部は、前記継鉄部に接続されるとともに、円周に沿って配列され、
前記第１の凹曲面及び前記第２の凹曲面は、前記シュー部の同一辺に形成され、前記第１の凹曲面と前記第２の凹曲面とが交差する箇所には、交点が設けられることを特徴とするケイ素銅片のシュー部構造。
【請求項２】
前記第１の凹曲面は、第１の曲線に沿って前記シュー部の側辺に形成され、
前記第２の凹曲面は、第２の曲線に沿って前記シュー部の同一辺に形成され、
前記第１の曲線及び前記第２の曲線は非同心円であることを特徴とする請求項１に記載のケイ素銅片のシュー部構造。
【考案の詳細な説明】
【技術分野】
【０００１】
本考案は、単相ブラシレスモータステータに関するものであり、さらに詳しくは、ケイ素銅片のシュー部構造に関するものである。
【背景技術】
【０００２】
従来技術の単相ブラシレスモータ（以下「モータ」という）構造は、静止したステータ（ｓｔａｔｏｒ）と、ステータに対して回転するロータ（ｒｏｔｏｒ）とを含むものである。
【０００３】
上述したステータは、１つの巻線群を含み、電流（例えば、１１０Ｖの交流電流）が巻線群の１つのコイル（ｃｏｉｌ）を通ると、磁場が発生する。レンツの法則（Ｌｅｎｚ’ｓ  Ｌａｗ）により、ロータの磁場誘起により電流が発生し、ステータに磁場が発生する。フレミングの左手の法則（Ｆｌｅｍｉｎｇ's  ｌｅｆｔ  ｈａｎｄ  ｒｕｌｅ）から分かるように、電界と磁場が交互に作用し、上述したモータは、ステータに対してロータを回転させるのに必要な作用力（トルクとも称する。）を有する。
【０００４】
しかし、単相モータのトルクが０である１つのデッドポイント（ｄｅａｄ  ｐｏｉｎｔ）があるため、モータが受ける負荷によりロータがデッドポイントで停止する可能性があり、モータが停止し、起動できなくなる虞があった。
【０００５】
そのため、一部のモータでは、ホール効果（Ｈａｌｌ  ｅｆｆｅｃｔ）を利用し、ホールセンサにより磁場の強弱及び方向を測定し、巻線群の電流方向を変換し、電圧差を変えることによりロータの旋回を維持し、デッドポイントによりモータが停止してしまうことを防いでいた。
【０００６】
また、一部のモータでは、不均一なエアギャップ（ａｉｒ  ｇａｐ）により、ステータ及びロータのトルクが互いに打ち消し合うことを防いでいた。
【考案の概要】
【考案が解決しようとする課題】
【０００７】
従って、本考案の課題は、非同心円の技術手段により、デッドポイントによりモータが停止してしまう問題を改善し、不要な振動及び騒音が発生することを防ぐことが可能であり、改良されたシュー部構造を提供することにある。
【課題を解決するための手段】
【０００８】
そこで、本考案者は、本考案の前記課題を解決するため、鋭意検討を重ねた結果、非同心円の技術手段により、シュー部の構造を改良し、槽の開口深さに影響を与え、不均一なエアギャップを形成し、ケイ素銅片により構成されたステータの磁束密度を変え、磁場エネルギーの強弱を発生させることにより、デッドポイントによるモーターの停止、不要な振動、騒音の防止が可能である点に着目し、本考案に想到するに至った。
【０００９】
かくして、本考案の要旨は、次の（１）〜（２）に記載の通りのものである。
（１）１つの継鉄部、１組のシュー部、１つの第１の凹曲面及び１つの第２の凹曲面を備えたケイ素銅片のシュー部構造であって、
前記シュー部は、前記継鉄部に接続されるとともに、円周に沿って配列され、
前記第１の凹曲面及び前記第２の凹曲面は、前記シュー部の同一辺に形成され、前記第１の凹曲面と前記第２の凹曲面とが交差する箇所には、交点が設けられることを特徴とするケイ素銅片のシュー部構造。
【００１０】
（２）前記第１の凹曲面は、第１の曲線に沿って前記シュー部の側辺に形成され、
前記第２の凹曲面は、第２の曲線に沿って前記シュー部の同一辺に形成され、
前記第１の曲線及び前記第２の曲線は非同心円であることを特徴とする前記（１）に記載のケイ素銅片のシュー部構造。
【考案の効果】
【００１１】
本考案は、前記の通りの構成からなるものであり、強い磁場は、弱い磁場よりロータをより吸収することができるため、デッドポイントによりモータが停止してしまう問題点を改善し、不要な振動、騒音の発生を防止することができる。
【図面の簡単な説明】
【００１２】
【図１】本考案の一実施形態に係るケイ素銅片を示す平面図である。
【図２】図１の部分拡大図である。
【考案を実施するための形態】
【００１３】
以下、本考案を図面により具体的に説明する。もっとも本考案は、かかる図面により限定されるものではない。
図１を参照する。図１に示すように、１枚のケイ素銅片１０は、ロータ１２の周囲に配置した継鉄部２０を有する。継鉄部２０は、個数が同じ１組の歯部３０及び１組のシュー部４０を有する。１組の歯部３０は、放射方向で継鉄部２０の内側部２５からロータ１２へ向かって延びる。１組のシュー部４０が歯部３０により支持され、ロータ１２の周囲には円周に沿って配列（又は周囲に配置）される。１組のシュー部４０とロータ１２とは、エアギャップ１４により間隔が空く。
【００１４】
図１に示すように、上述したケイ素銅片１０は、複数の槽３２を有する。各槽３２は、２つの歯部３０及び継鉄部２０により囲まれた空間である。上述した空間は、隣り合う２つのシュー部４０間の開口部３４がエアギャップ１４に連通する。１本の導電の金属線が開口部３４から槽３２中に進入し、１組の歯部３０を取り囲んで１つの巻線群１６を構成する。上述した巻線群１６に磁場が発生し、電界と磁場とが交互に作用し、ロータ１２がケイ素銅片１０（即ちステータ）に対して回転するのに必要なトルクが生じる。そのため、ステータ（ケイ素銅片１０を含む）にロータ１２を組み合わせ、１個の単相ブラシレスモータの静止及び回転の２つの部分を構成する。
【００１５】
また、シュー部４０は、エアギャップ１４の側辺に対向するように設けられた１つの第１の凹曲面４２及び１つの第２の凹曲面４４を有する。第１の凹曲面４２と第２の凹曲面４４とが交差する箇所には、交点４６が設けられる。交点４６を境界として用い、シュー部４０を広さが異なる左右２つの部分に分け、開口部３４の深さ３６に影響を与え、不均一なエアギャップ１４が形成され、ケイ素銅片１０（即ちステータ）の磁束密度を変え、磁場エネルギーを変化させる。強い磁場は、弱い磁場よりロータ１２をより吸引することができるため、デッドポイントによりモータが停止してしまう問題を改善し、不要な振動及び騒音が発生することを防ぐ。
【００１６】
図２に示すように、第１の凹曲面４２は、バーチャルな１本の第１の曲線４１に沿ってシュー部４０の側辺に形成される。第２の凹曲面４４は、バーチャルな１本の第２の曲線４３に沿ってシュー部４０の同一辺に形成される。上述した第１の曲線４１及び第２の曲線４３は非同心円である。
【符号の説明】
【００１７】
１０  ケイ素銅片
１２  ロータ
１４  エアギャップ
１６  巻線群
２０  継鉄部
２５  内側部
３０  歯部
３２  槽
３４  開口部
３６  深さ
４０  シュー部
４１  第１の曲線
４２  第１の凹曲面
４３  第２の曲線
４４  第２の凹曲面
４６  交点
【図１】
0003226116.tif 000003
【図２】
0003226116.tif 000004